(57)【要約】  【課題】  支持部材の位置決めや高さ調整を容易に行うことができる床支持構造を提供する。  【解決手段】  本発明の床支持構造１は、複数の床パネル１０を行列状に配置して、床パネル１０を構造物９０上に配置される複数の支持部材１１によって支持するものである。そして、支持部材１１は、長尺載置部２９と、長尺載置部２９に載せられるパネル支持部２０とを有しており、長尺載置部２９の長尺方向同士が同じ向きとなるように複数並べられている。また、長尺載置部２９には高さ調整手段２１が設けられている。【選択図】  図８
2006336316.tif 000002
【特許請求の範囲】
【請求項１】
複数の床パネルを行列状に配置して、前記床パネルを構造物上に配置される複数の支持部材によって支持し、所定の領域について床パネルと構造物との間に空間を形成する床支持構造であって、
支持部材は、長尺載置部と、長尺載置部に載せられるパネル支持部とを有し、長尺載置部は長尺状であって、長尺載置部の長尺方向同士が同じ向きとなるように複数並べて構造物上に配置されており、パネル支持部は床パネル同士の境界部分に設置されていることを特徴とする床支持構造。
【請求項２】
長尺載置部は、長尺状の本体部と、複数の高さ調整手段とが設けられ、高さ調整手段は本体部と構造物との間の長さを調整しながら、本体部を支持することができるものであることを特徴とする請求項１に記載の床支持構造。
【請求項３】
高さ調整手段が、本体部の長尺方向の少なくとも両端付近に設けられていることを特徴とする請求項２に記載の床支持構造。
【請求項４】
パネル支持部の下側には溝部が設けられ、前記溝部の形状は長尺載置部の上側の形状に合わせて、溝部を長尺載置部の上側に係合した状態で、パネル支持部が長尺載置部に載せられていることを特徴とする請求項１〜３のいずれかに記載の床支持構造。
【請求項５】
長尺載置部の上面、及び、パネル支持部の下面は、平面状であることを特徴とする請求項１〜４のいずれかに記載の床支持構造。
【請求項６】
パネル支持部の上側には上向きに突出する突起部が設けられ、床パネルには平板部と、当該平板部の下側に格子状に形成される格子梁とが設けられ、格子梁の間に形成される空間に支持部材の突起部を挿入して隣接する床パネル同士を連結するものであることを特徴とする請求項１〜５のいずれかに記載の床支持構造。
【発明の詳細な説明】
【技術分野】
【０００１】
本発明は、床面の上に、床パネルなどによって形成される別の床を中空状態で支持する床支持構造に関するものである。
【背景技術】
【０００２】
床下に電線や管を設置する場合、床を２重構造として、上下の床の間に電線や管を設置することが行われている。このような、２重構造の床の形成はパーティクルボードを用いて形成する方法があるが、他の方法として、床パネルを用いる方法がある。
【０００３】
この床パネルを用いる方法では、所定の形状である定形の床パネルと、床パネルを支持する支持部材を複数用意し、本来の床面（コンクリートスラブなど）の上に支持部材を載置して、さらに支持部材の上に床パネルを載せて２重構造の床を形成する。そして、床パネルの形状は正方形状のものが用いられている。
そして、このような技術は特許文献１などに記載されている。
【０００４】
通常、支持部材は、床パネルの４ヵ所の角に配置し、必要に応じて他の部分に配置されており、床パネルのいずれの位置に荷重がかかっても支えられるようにしている。
また、床パネル同士の相対移動を阻止する必要があるので、支持部材に突起などの係止部を複数設け、同じ支持部材によって隣接する床パネルを連結している。
【特許文献１】特開２００１−３０３７５７号公報
【発明の開示】
【発明が解決しようとする課題】
【０００５】
床パネルは、複数の支持部材によって支えられるが、各支持部材の位置決めや高さ調整などは、それぞれについて行う必要がある。そのため、設置作業に手間がかかってしまう。
【０００６】
そこで、本発明は、設置作業を容易に行うことが可能である床支持構造を提供することを課題とする。
【課題を解決するための手段】
【０００７】
そして、上記した目的を達成するための請求項１に記載の発明は、複数の床パネルを行列状に配置して、前記床パネルを構造物上に配置される複数の支持部材によって支持し、所定の領域について床パネルと構造物との間に空間を形成する床支持構造であって、支持部材は、長尺載置部と、長尺載置部に載せられるパネル支持部とを有し、長尺載置部は長尺状であって、長尺載置部の長尺方向同士が同じ向きとなるように複数並べて構造物上に配置されており、パネル支持部は床パネル同士の境界部分に設置されていることを特徴とする床支持構造である。
【０００８】
請求項１に記載の発明によれば、行列状に配置された複数の床パネルを支持する支持部材は、長尺載置部と、長尺載置部に載せられるパネル支持部とを有し、長尺載置部は長尺状であって、長尺載置部の長尺方向同士が同じ向きとなるように複数並べて構造物上に配置されており、パネル支持部は床パネル同士の境界部分に設置されているものであるので、パネル支持部の位置決めが容易である。
【０００９】
請求項２に記載の発明は、長尺載置部は、長尺状の本体部と、複数の高さ調整手段とが設けられ、高さ調整手段は本体部と構造物との間の長さを調整しながら、本体部を支持することができるものであることを特徴とする請求項１に記載の床支持構造である。
【００１０】
請求項２に記載の発明によれば、長尺載置部には複数の高さ調整手段とが設けられ、高さ調整手段は本体部と構造物との間の長さを調整しながら、本体部を支持することができるものであるので、高さ調整手段により本体部の高さを合わせて本体部にパネル支持部を載せることができるため、床支持構造の設置が容易である。
【００１１】
請求項３に記載の発明は、高さ調整手段が、本体部の長尺方向の少なくとも両端付近に設けられていることを特徴とする請求項２に記載の床支持構造である。
【００１２】
請求項３に記載の発明によれば、高さ調整手段が、本体部の長尺方向の少なくとも両端付近に設けられているので、支持部材による支持を安定させることができ、また、両端付近の支持部材により高さ調整を行うことにより、長尺載置部を水平状態にすることができるので、他の支持部材の位置決めを簡単に行うことができる。
【００１３】
請求項４に記載の発明は、パネル支持部の下側には溝部が設けられ、前記溝部の形状は長尺載置部の上側の形状に合わせて、溝部を長尺載置部の上側に係合した状態で、パネル支持部が長尺載置部に載せられていることを特徴とする請求項１〜３のいずれかに記載の床支持構造である。
【００１４】
請求項４に記載の発明によれば、パネル支持部の下側には溝部が設けられ、前記溝部の形状は長尺載置部の上側の形状に合わせて、溝部を長尺載置部の上側に係合した状態で、パネル支持部が長尺載置部に載せられているので、パネル支持部が長尺載置部からずれにくい。
【００１５】
請求項５に記載の発明は、長尺載置部の上面、及び、パネル支持部の下面は、平面状であることを特徴とする請求項１〜４のいずれかに記載の床支持構造である。
【００１６】
請求項５に記載の発明によれば、長尺載置部の上面、及び、パネル支持部の下面は、平面状であるので、パネル支持部を長尺載置部に載せる場合に、パネル支持部を傾斜させることなく水平に設置することができる。
【００１７】
請求項６に記載の発明は、パネル支持部の上側には上向きに突出する突起部が設けられ、床パネルには平板部と、当該平板部の下側に格子状に形成される格子梁とが設けられ、格子梁の間に形成される空間に支持部材の突起部を挿入して隣接する床パネル同士を連結するものであることを特徴とする請求項１〜５のいずれかに記載の床支持構造である。
【００１８】
請求項６に記載の発明によれば、パネル支持部の上側には上向きに突出する突起部が設けられ、床パネルに形成される空間に支持部材の突起部を挿入して隣接する床パネル同士を連結するものであるので、床支持構造の構造がより安定し、また、支持部材の位置が自動的に決まる。
【発明の効果】
【００１９】
本発明の床支持構造では設置作業を容易に行うことができる。
【発明を実施するための最良の形態】
【００２０】
以下さらに本発明の具体的実施例について説明する。
図１は、本発明の第１の実施形態における床支持構造を上側から見た図である。図２は、本発明の第１の実施形態における床支持構造の一部分を上側から見た図である。図３及び図４は、本発明の第１の実施形態における床支持構造の一部分を横から見た図である。図５は、床パネル及び支持部材を上から見た斜視図である。図６は、床パネルを下から見た斜視図である。図７は、支持部材の一部を示した分解斜視図である。図８は、床支持部材の分解斜視図である。
【００２１】
本発明の第１の実施形態における床支持構造１は、図２、図３に示されるように、床パネル１０と支持部材１１によって形成される。支持部材１１は構造物９０上に載置されており、床パネル１０は支持部材１１によって支えられている。そして、構造物９０と床パネル１０との間に空間９１が形成される。この空間９１に配線や配管を行い、床上に露出する線や管を最小限の長さにすることができる。
構造物９０は上側がほぼ水平な平面状であり、コンクリート構造物の床スラブなどである。構造物９０は、支持部材１１を置くことができればどのようなものであってもよい。
また、床支持構造１の上側には、図４に示されるように、フローリング材などの床材９２が配置される。
【００２２】
そして、図１に示されるように、床支持構造１は設置領域９３に設置される。設置領域９３は構造物９０の所定の領域であり、複数の床パネル１０は設置領域９３を覆うように配置される。この設置領域９３は、設置される場所により大きさや形状がことなるものであるが、本実施形態の設置領域９３は長方形状であり、床パネル１０は縦横に並べられて行列状に配置されている。
【００２３】
床支持構造１は、複数の床パネル１０と、複数の支持部材１１とが用いられている。
本実施形態に用いられる床パネル１０は、図５、図６に示されるように、平板部３０と格子梁３１とが設けられている。平板部３０は正方形の板状であり、格子梁３１は平板部３０の下側のみに設けられており、床パネル１０を使用する場合には、平板部３０が上側に格子梁３１が下側となるように設置される。
【００２４】
格子梁３１は、図６に示されるように、互いに直交するように２方向に延びるように設けられており、それぞれの方向のものが複数有している。また、格子梁３１の延びる方向は、平板部３０の正方形の辺と同じ方向である。また、格子梁３１は平板部３０の全体に設けられ、一番外側に位置する格子梁３１は、平板部３０の辺付近に位置している。
【００２５】
床パネル１０は、平板部３０が上側に、格子梁３１が下側になるような状態で用いられ、床パネル１０の下側には、格子梁３１の間に形成される空間３２が位置している。この空間３２の形状は角柱状であり、上下方向の長さは支持部材１１の突起部２５の長さより長く、空間３２に突起部２５を挿入できる。
また、格子梁３１の最下端の位置は同じ高さである。
【００２６】
格子梁３１によって形成される空間３２の形状は、正方形状の角付近と、辺付近と、中央付近とでは、それぞれ異なっており、それぞれ空間３２ａ、３２ｂ、３２ｃが形成されている。
【００２７】
角付近の空間３２ａは、格子梁３１の２方向の内幅がそれぞれ支持部材１１の突起部２５の幅Ｌ１にほぼ等しく、１個の突起部２５のみを挿入することができる。
辺付近の空間３２ｂは、格子梁３１の一方の内幅が、突起部２５の幅Ｌ１にほぼ等しく、他方の内幅が突起部２５の外側の幅Ｌ２に等しく、２個の突起部２５を挿入することができる。
中央付近の３１ｃは、格子梁３１の２方向の内幅がそれぞれ突起部２５の外側の幅Ｌ２に等しく、４個の突起部２５を挿入することができる。
【００２８】
床パネル１０を、角や辺を近づけるように並べると、角付近や辺付近の空間３２ａ、３２ｂ同士が接近する。そして、隣接する２以上の床パネル１０の角付近や辺付近の空間３２ａ、３２ｂに、同じ支持部材１１の突起部２５を挿入することが可能となり、床パネル１０同士を連結することができる。
【００２９】
床パネル１０は、樹脂に充填材を添加したものを用いて成形したものである。床パネル１０に用いられる樹脂は、どのような種類のものを用いても良く、また、一度使用された廃プラスチックをリサイクルした材料を用いることができる。また、充填材として、例えば、木粉や、フライアッシュと呼ばれる石炭灰を用いることができ、このような充填材を添加したものを用いることができる。本実施形態の床パネル１０は、廃プラスチックを６０ｖｏｌ％、充填材を４０ｖｏｌ％で配合したものが用いられている。
【００３０】
床支持構造１は２種類の床パネル１０が用いられ、具体的には、基本パネル１０ａと調整パネル１０ｂとが用いられる。基本パネル１０ａは上記した形状のものをそのまま用いるものであり、調整パネル１０ｂは、基本パネル１０ａを切断して形成される。
【００３１】
調整パネル１０ｂは、設置領域９３に合わせられて切断したものであり、基本パネル１０ａでは配置できない場所に配置される。そして、図１に示されるように、設置領域９３の長さや幅が、基本パネル１０ａの長さの倍数とならない場合に、基本パネル１０ａより短い調整パネル１０ｂを用いて、設置領域９３全体を覆う。
調整パネル１０ｂの切断は基本パネル１０ａを設置した後、基本パネル１０ａより小さい領域の大きさに合わせて、基本パネル１０ａを切断して行われる。
【００３２】
支持部材１１は、図７、図８に示されるように、パネル支持部２０及び長尺載置部２９により構成されている。そして、図８に示すように、床支持構造１には複数の長尺載置部２９が用いられており、さらに、各長尺載置部２９には複数のパネル支持部２０が載せられている。
【００３３】
パネル支持部２０は樹脂製の部材であり、角板部２４と突起部２５とが設けられている。角板部２４は、正方形の板状であり、下側に溝部４０が設けられている。この溝部４０の幅は、後述する長尺載置部２９の本体部４７の上面２９ａ側の幅にほぼ等しく、溝部４０によって、パネル支持部２０と本体部４７との係合が可能となっている。
そして、パネル支持部２０が長尺載置部２９に載せられると、角板部２４の下面２４ａが本体部４７の上面２９ａに接触するが、本実施形態の下面２４ａ及び上面２９ａは平面状であるので、パネル支持部２０が傾斜することなく設置することができる。
突起部２５は、四角柱状であり、その幅Ｌ１は縦方向及び横方向が等しい。そして、パネル支持部２０には、突起部２５が４ヵ所に設けられ、図７に示されるように、角板部２４の４つのすべての角に、４個の突起部２５が配置している。
【００３４】
長尺載置部２９は、図７に示すように、本体部４７、高さ調整手段２１及び土台部２３を有している。
本体部４７は長尺状の角棒状であり、所定の位置に上下方向に貫通する貫通孔４８が形成されている。この貫通孔４８は、本体部４７の長尺方向の両端を含む場所に複数形成されており、後述する高さ調整手段２１の支持ボルト４２が挿入される。
そして、本体部４７は、複数の土台部２３によって支えられ、本体部４７と各土台部２３との間には高さ調整手段２１が配置しており、本体部４７は高さ調整手段２１を介して支えられている。したがって、それぞれの高さ調整手段２１を調整することにより、土台部２３の位置での高さを変えて、本体部４７の上面２９ａを水平な状態で支持することができる。また、この調整により、構造体９０が場所によって高さが違う場合にも、上面２９ａを水平な状態とすることができる。
【００３５】
高さ調整手段２１は、支持ナット４１と支持ボルト４２からなっており、本体部４７と構造物９０との間の長さを調整することができる。そして、支持ナット４１及び支持ボルト４２には、それぞれフランジ部４１ａ、４２ａが設けられている。支持ナット４１は支持ボルト４２に螺合することができ、支持ボルト４２を回転させることにより、フランジ部４１ａ、４２ａ同士の距離を変えることができる。
【００３６】
土台部２３は円錐台状の防振ゴムであり、中央に穴部４３が設けられている。
そして、土台部２３の穴部４３に支持ボルト４２を挿入して、土台部２３の上部にフランジ部４２ａが接触するようにする。また、本体部４７の貫通孔４８に支持ナット４１を挿入し、本体部４７の下側にフランジ部４１ａが接触するようにする。
【００３７】
本実施形態の床支持構造１では、支持部材１１を構造物９０上に置き、さらに、支持部材１１の上に床パネル１０が載せられて支持されている。また、床パネル１０の下側の空間３２に支持部材１１の突起部２５を挿入し、床パネル１０と支持部材１１とがずれないようにしており、さらに、同じ支持部材１１の突起部２５を、隣り合う別の複数の床パネル１０の空間３２に挿入して、隣り合う床パネル１０を連結している。
【００３８】
床支持構造１に設けられる支持部材１１の長尺載置部２９は複数設けられているが、各長尺載置部２９の長尺方向を同じ向きとなるようにして構造物９０上に設置されている。また、長尺載置部２９の本体部４７は、長尺方向の両端付近に貫通孔４８を有しており、両端付近で支えられているので、長尺載置部２９を安定して設置することができる。
【００３９】
また、支持部材１１のパネル支持部２０は、それぞれの床パネル１０の角付近に配置されており、いずれの位置に荷重がかかっても支えることができるようになっている。なお、必要に応じて床パネル１０の角の位置以外（辺付近、中央付近）に支持部材１１のパネル支持部２０を配置して支えるようにしても良い。
パネル支持部２０は床パネル１０同士の境界部分に設置されており、同じパネル支持部２０により、複数の床パネル１０が支持されている。
【００４０】
床パネル１０が設置される場合には、床パネル１０同士に少し隙間を設けて設置されており、床パネル１０の角付近に設置される支持部材１１は、中央付近の上側は床パネル１０が覆われない。そのため、床パネル１０の設置後に、パネル支持部２０で貫通孔４８が覆われていない場合には、上から工具などを挿入して、支持ボルト４２や支持ナット４１を相対回転させて高さ調整することができる。
【００４１】
床支持構造１の設置は、図８に示されるように、支持部材１１を構造物９０上に置きながら、その上に床パネル１０を載せて行われる。このとき、長尺載置部２９の高さ調整を行いながら、長尺載置部２９の上面２９ａを水平となるようにする。そして、パネル支持部２０の下面２０ａが長尺載置部２９の上面２９ａに接するように、パネル支持部２０を長尺載置部２９の上面２９ａ上に載せ、溝部４０により係合させる。そうすると、角板部２４が水平状となり、突起部２５が垂直方向の上向きに突出する状態となる。
また、図２、図８に示されるように、支持部材１１の長尺載置部２９は、その長尺方向は、床パネル１０の行列のいずれかの方向に沿っており、床パネル１０の境界付近に配置している。
【００４２】
パネル支持部２０は長尺載置部２９の上に載せられるので、長尺載置部２９はパネル支持部２０よりも先に設置される。このとき、全ての長尺載置部２９を設置領域９３に先に配置してもよく、設置されるパネル支持部２０に応じて、長尺載置部２９を設置することもできる。また、全ての長尺載置部２９を設置領域９３に先に設置した場合には、設置される床パネル１０に対応して、パネル支持部２０を順番に設置することができる。
【００４３】
パネル支持部２０は、床パネル１０同士の境界に配置され、パネル支持部２０の突起部２５は、それぞれの床パネル１０の空間３２に挿入されるので、床パネル１０同士を連結することができる。
【００４４】
床パネル１０の設置する順番などは、特に限定されないが、以下の方法を採用することができる。
長尺載置部２９を並べながら、長尺載置部２９の長尺方向に対して垂直な方向に一列分だけ床パネル１０の設置を行う。なお、床パネル１０の設置の際には必要なパネル支持部１０を設置する。そして、設置領域９３の全域に長尺載置部２９を設置した後に、他の床パネル１０を設置する。
この方法では、長尺載置部２９の設置位置を床パネル１０を用いて位置決めすることができる。
【００４５】
そして、床支持構造１が完成し、床パネル１０と構造物９０との間に空間９１が形成される。なお、隣接する床パネル１０同士の間に、小さい隙間が設けられており、床支持構造１の使用時に床パネル１０同士の接触を防ぐことにより、音の発生などを防止することができる。
【００４６】
本実施形態における床支持構造１では、長尺載置部２９にパネル支持部２０を載せるので、パネル支持部２０の位置決めが容易である。また、長尺載置部２９に高さ調整手段２１が設けられているので長尺載置部２９の上面２９ａを水平に調整しやすい。そして、長尺載置部２９の上にパネル支持部２０を載せて、支持部材１１の設置を行うことができ、床パネル１０を支持する部分ごとに高さを調整することが無く、床支持構造１を設置する作業が行いやすい。
【図面の簡単な説明】
【００４７】
【図１】本発明の第１の実施形態における床支持構造を上側から見た図である。
【図２】本発明の第１の実施形態における床支持構造の一部分を上側から見た図である。
【図３】本発明の第１の実施形態における床支持構造の一部分を横から見た図である。
【図４】本発明の第１の実施形態における床支持構造の一部分を横から見た図である。
【図５】床パネル及び支持部材を上から見た斜視図である。
【図６】床パネルを下から見た斜視図である。
【図７】支持部材の一部を示した分解斜視図である。
【図８】床支持部材の分解斜視図である。
【符号の説明】
【００４８】
１    床支持構造
１０  床パネル
１１  支持部材
２０  パネル支持部
２１  高さ調整部
２５  突出部
２９  長尺載置部
３０  平板部
３１  格子梁
３２  空間
４０  溝部
４７  本体部
９０  構造物
９１  空間
【図１】
2006336316.tif 000003
【図２】
2006336316.tif 000004
【図３】
2006336316.tif 000005
【図４】
2006336316.tif 000006
【図５】
2006336316.tif 000007
【図６】
2006336316.tif 000008
【図７】
2006336316.tif 000009
【図８】
2006336316.tif 000010